(57)【要約】      （修正有）【課題】犬が散歩中にした糞を簡単、清潔に回収し、後始末しやすく、且つ持ち運びに負担にならない回収グッズを提供する。【解決手段】回収箱本体１、２、３、４、５とスコップ６、７からなる。回収箱本体の取っ手１を持って、糞収納箱４を横にすると蓋３が開くので、スコップ６、７を使って、硬い糞、柔らかい糞でも簡単、清潔に回収できる。回収した糞はトイレに捨てるなり、庭に埋めることも簡単にでき、糞収納箱４の内面は角がなく、滑らかにしてあるので、水洗トイレでトイレブラシを使って簡単に清掃できる。【選択図】図５
0003130765.tif 000002
【実用新案登録請求の範囲】
【請求項１】
犬が散歩中にした糞を回収するグッズで、道路から糞を取るスコップと回収箱本体からなり、素材は、全て強化プラスチック樹脂を使用し、軽量で耐久性があり、破損、変形しにくい。また回収箱本体、スコップの大きさは大型犬用、小型犬用の２種類とし、以下の特徴を有する
回収箱本体の特徴
１．回収箱本体は取っ手（１）、柄（２）、蓋（３）、糞収納箱（４）からなり、取っ手（１）を持って糞収納箱（４）を横にすると、蓋（３）が自動的に開いて回収作業に入れ、取っ手（１）を持ち上げると自動的に蓋（３）が閉まる
２．雨の日でも取っ手（１）が地面に付いて汚れないよう、手を離して地面に立てても、作業時に糞収納箱（４）を横に倒しても、取っ手（１）が自立するバランスになっている
３．回収後の清掃は、柔らかい糞で汚れた場合は水洗便器の中でトイレブラシを使って洗える大きさで、内側は角がなく滑らかにしてあるため、汚れがこびりつかず落としやすい
スコップの特徴
１．形状は長方形にし、底を浅くしてあるため、地面への接触部分が大きく、縦，横どちらからでも使え、柔らかい糞でも簡単、きれいに回収できる
２．持ち運びで負担にならないよう、走っても落ちないように、回収箱本体に取付け、且つ外しやすいしくみになっている
３．糞収納箱の蓋（３）を止める役割を果たしているので、スコップを外すとすぐ回収作業に入れる
【考案の詳細な説明】
【技術分野】
【０００１】本考案は、回収箱本体にスコップを取付け一体化して、犬の散歩中の糞を簡単、清潔に回収するグッズに関するものである
【背景技術】
【０００２】１．通勤で自宅と駅までの道路を歩いていると、犬を散歩させている情景を多く見受けるが、毎日２〜３箇所は犬の糞が放置されており、夜は見えずに踏んでしまうことも多い。そして夜の散歩は暗いため、糞を放置する人がことのほか多い
この悩みは多くの通勤客が経験していることで、皆、なんとかして欲しいと思っているが、法的罰則も無い状態で、放置してしまう一部の飼い主のせいで犬を飼う人のイメージを落として社会問題、環境問題にもなっている
２．散歩させている人のほとんどは、スーパーの買物ポリ袋を持参しているが、専用の回収グッズを持っている人は皆無であり、買物ポリ袋では糞を手で直接取るのも抵抗があるし、柔らかい糞だと取りにくいのか、そのまま放置する人もいる
３．この原因は、飼主も良い回収グッズがあれば持っていくがないためで、ホームセンターやペットショップを調査すると、犬に着せる洋服に至るまでいろいろなアイテムが置いてあるが、一番ニーズの高いはずの専用の糞回収グッズを置いてある店は、１０店中１店だけであり、それもあまり使いよいとは思えず持って歩きたいという購買意欲も沸かないものと思われた
【考案の開示】
【考案が解決しようとする課題】
【０００３】１．犬の散歩は必ず必要で、９０％以上の人は毎日行っており、且つ犬は外で糞をすることが殆どにもかかわらず使いやすい回収グッズがないこと
２．晩婚化、少子化のため犬を家族として飼ったり、また高齢化が進み、老人の１人暮らしが多くなる中で、健康維持の運動を兼ねて犬と散歩することもあって、これからペットと暮らす老人が益々多くなっていくと思われ、老人でも簡単に使える糞回収グッズを提供する
【課題を解決するための手段】
【０００４】１．老人でも持ち運び運びに負担にならないために軽量、小型にする
２．屋外で使用するため、破損・劣化、日焼け・退色しにくいプラスチック素材を使用
３．作業が簡単、清潔で使いやすくするためにスコップとのセットにする
４．回収グッズの清掃、後始末をしやすくするために、水洗トイレでトイレブラシを使って洗える大きさで、内面は汚れがこびりつかず、落としやすくする
５．糞の処理については、柔らかい糞の場合はスコップでかき出し、糞を泥と一緒に回収した場合はスコップで庭に埋めることもでき、また糞だけの場合は、取っ手を持って糞収納箱を斜めにすると自動的に蓋が開き、水洗トイレにも捨てやすくする
【考案の効果】
【０００５】上記の手段によって、今までになかった持ちやすい、作業しやすい、後始末がしやすい犬の散歩中の糞回収グッズが提供できる
【考案を実施するための最良の形態】
【０００６】１．スコップと回収箱本体からなり、スコップは糞収納箱の蓋を止める役割を果たして、スコップを外すとすぐ回収作業に入れる
２．スコップは柔らかい糞でも容易に回収できるよう、形状は長方形にし、縦でも横からでも簡単、きれいに回収できる
３．スコップの柄は、回収箱本体の柄に密着するよう半月状にし、且つ回収箱本体の柄にある上部のフックと下部の溝にしっかりと取付けられ、且つ外しやすくする
４．糞収納箱の蓋を、横にすると自動的に開くしくみにする
５．回収箱本体は立てても、横にしても常に取っ手が立つバランスにして、手を離しても地面に付かず、雨の日でも取っ手が汚れない
６．回収箱本体とスコップのサイズは、大型犬用は添付図面記載の大きさとし、小型犬用は大型犬用の８０％に縮小する。但し、取っ手の大きさは共通とする
７．犬を飼うことは、趣味、ゆとり、おしゃれ感覚であるため、回収グッズも機能だけでなく愛犬家の誰もが持ちたいと思う高級感のあるギンガムチェック柄にし、色も退色しにくい黒、赤、グリーン、青を揃え、回収箱には名前を書けるスペースをつける
８．商品名は用途を想定しやすく、親しみやすく、覚えやすい「エチケットワン」とする
【実施例】
【０００７】以下、添付図面に従って実施例を説明する
１．スコップ（６）（７）を回収箱本体の取っ手（１）を持って、柄（２）から、少し上に上げながら外す
２．回収箱本体の取っ手（１）を持って、糞収納箱（４）を横に倒して蓋（３）を開く
３．外したスコップ（６）（７）を使って、糞を糞収納箱（４）に入れる
４．回収箱本体の取っ手（１）を引き上げると、自動的に蓋（３）が閉まって回収作業が完了する
５．スコップ（６）（７）を回収箱本体の柄（２）に取付け、糞収納箱の蓋（３）を固定する
６．回収した糞の処理は、硬い糞の場合、取っ手（１）を持ち、糞収納箱の底（５）を持って斜めにして糞をトイレなどに捨て、柔らかい糞の場合はスコップを使って、糞をかき出す
７．糞収納箱、スコップの清掃は、水洗トイレの中に入れ、トイレブラシで洗い流す
【産業上の利用可能性】
【０００８】日本には１３００万匹、３所帯に１件が犬を飼っており、適正な犬の散歩中の糞回収グッズが、現在市場に提供されていないため、製品化することで、社会的要請の中、多くの愛犬家に受け入れられ、大きな需要が生まれると考えられる
【図面の簡単な説明】
【０００９】
【図１】本考案の回収箱本体の正面図、底面図である
【図２】本考案の回収箱本体の側面図である
【図３】本考案のスコップの正面、側面図である
【図４】本考案の糞回収作業時の蓋が開いた図である
【図５】スコップを回収箱本体に取付けた図である
【符号の説明】
【００１０】回収箱本体  〔図１〕〔図２〕〔図４〕
（１）  取っ手
（２）  柄
（３）  蓋
（４）  糞収納箱
（５）  糞収納箱底部
スコップ  〔図３〕
（６）  柄
（７）  スコップ本体
スコップと回収箱本体のセット図  〔図５〕
【図１】
0003130765.tif 000003
【図２】
0003130765.tif 000004
【図３】
0003130765.tif 000005
【図４】
0003130765.tif 000006
【図５】
0003130765.tif 000007
【手続補正書】
【提出日】平成18年12月22日(2006.12.22)
【手続補正１】
【補正対象書類名】実用新案登録請求の範囲
【補正対象項目名】全文
【補正方法】変更
【補正の内容】
【実用新案登録請求の範囲】
【請求項１】
以下の回収箱本体及びスコップからなる糞回収するグッズ
回収箱本体の特徴
１．回収箱本体は取っ手（１）、柄（２）、蓋（３）、糞収納箱（４）からなり、取っ手（１）を持って糞収納箱（４）を横にすると、蓋（３）が自動的に開いて回収作業に入れ、取っ手（１）を持ち上げると自動的に蓋（３）が閉まる
２．雨の日でも取っ手（１）が地面に付いて汚れないよう、手を離して地面に立てても、作業時に糞収納箱（４）を横に倒しても、取っ手（１）が自立するバランスになっている
３．収後の清掃は、柔らかい糞で汚れた場合は水洗便器の中でトイレブラシを使って洗える大きさで、内側は角がなく滑らかにしてあるため、汚れがこびりつかず落としやすい
スコップの特徴
１．形状は長方形にし、底を浅くしてあるため、地面への接触部分が大きく、縦，横どちらからでも使え、柔らかい糞でも簡単、きれいに回収できる
２．持ち運びで負担にならず、走っても落ちないように、回収箱柄（２）の２ヶ所のフックにスコップの柄（６）が取付けられて、外しやすいしくみにもなっている
３．回収箱柄（２）に取付けられたスコップ本体（７）が糞収納箱の蓋（３）を止める役割を果たしているので、スコップを外すとすぐ回収作業に入れる